(57)【要約】【課題】シート等のシート状材料をフレーミングするための装置を提供する。【解決手段】開示される本発明は、携帯可能かつ折り畳み可能なフレームおよびシートである。本発明の実施形態において、フレームおよびシートは、容易かつ安全な輸送または郵送のために、筒状に巻くことができる。本発明の実施形態において、フレームは、少なくとも２対の細長い部材を備え、各細長い部材は、２つの端部を有し、各対の細長い部材は、該対の部材間に延在する少なくとも１つの事前に取り付けられたシートを有し、各細長い部材の各端部は、別の細長い部材の少なくとも１つの端部に固定して取り付けられるように適合され、組み立てられた状態において、表示物が、少なくとも部分的に重複するシートで形成される。【選択図】図５
2009273887.tif 000002
【特許請求の範囲】
【請求項１】
少なくとも２対の細長い部材を備えるフレームであって、各細長い部材は、２つの端部を有し、各対の細長い部材は、前記対の間に延在する少なくとも１つの事前に取り付けられたシートを有し、各前記細長い部材の各端部は、別の細長い部材の少なくとも１つの端部に固定して取り付けられるように適合され、組み立てられた状態において、表示物は、少なくとも部分的に重複するシートで形成される、フレーム。
【請求項２】
前記少なくとも２対の細長い部材は、２対の細長い部材であり、第１の対の細長い部材は、第２の対の細長い部材に直角に接続され、各シートは、前記第１および第２の対の細長い部材によって画定される領域の少なくとも一部を覆う、請求項１に記載のフレーム。
【請求項３】
少なくとも１つのシートは、可撓性である、請求項１に記載のフレーム。
【請求項４】
少なくとも１つのシートは、剛性である、請求項１に記載のフレーム。
【請求項５】
第１の対の前記細長い部材の前記シートは、第２の対および第３の対の前記細長い部材の両方のシートと実質的に重複する、請求項１に記載のフレーム。
【請求項６】
前記シートは、裏当て、芸術作品、カバー、鏡、生物学的シート、および電子ディスプレイから成る群から選択される、請求項１に記載のフレーム。
【請求項７】
各対の細長い部材は、対応するシートおよび筒で事前に構成される、請求項６に記載のフレーム。
【請求項８】
少なくとも１対の細長い部材は、複数のシートを備える、請求項６に記載のフレーム。
【請求項９】
第１の対の前記細長い部材は、剛性裏当てシートおよび剛性カバーシートを備え、第２の対の前記細長い部材は、可撓性シートを備える、請求項８に記載のフレーム。
【請求項１０】
第１の細長い部材の端部および第２の細長い部材の端部の取り付けは、少なくとも１つの磁石、接着剤、ダボ穴およびダボ、ホゾ穴およびホゾ、磁気テープ、ならびにそれらの組み合わせから成る群から選択される、請求項１に記載のフレーム。
【請求項１１】
少なくとも２つの重複するシートを備えるフレームであって、前記シートは、互いに少なくとも１５度ずれ、各前記シートは、第１の端部で第１の細長いフレーム部材に、および第２の端部で第２の細長いフレーム部材に取り付けられ、各前記細長いフレーム部材は２つの端部を有し、各前記細長いフレーム部材の各前記端部は、別の細長いフレーム部材の端部に剛性的に取り付けられる、フレーム。
【請求項１２】
前記ずれは、９０度である、請求項１１に記載のフレーム。
【請求項１３】
各前記シートは、前記第１および第２の細長いフレーム部材に事前に取り付けられる、請求項１１に記載のフレーム。
【請求項１４】
各前記シートは、前記フレームの組み立てられた状態において、２つの前記細長いフレーム部材間に摩擦で保持される、請求項１１に記載のフレーム。
【請求項１５】
少なくとも１つの前記シートは、可撓性である、請求項１１に記載のフレーム。
【請求項１６】
少なくとも１つの前記シートは、剛性である、請求項１１に記載のフレーム。
【請求項１７】
物体は、２つの前記シート間に摩擦で保持される、請求項１１に記載のフレーム。
【請求項１８】
前記フレーム部材の前記合成的な取り付けは、少なくとも１つの磁石、ダボ穴およびダボ、ホゾ穴およびホゾ、磁気テープ、ならびにそれらの組み合わせから成る群から選択される取り付けである、請求項１１に記載のフレーム。
【請求項１９】
前記シートは、電子シートである、請求項１１に記載のフレーム。
【請求項２０】
前記電子シートは、可撓性である、請求項１９に記載のフレーム。
【請求項２１】
表示物の少なくとも第１および第２のモジュールを構成する方法であって、各前記モジュールは、２つのフレーム部材およびそれらの間に位置するシートを備え、前記方法は、  ある位置に第１のモジュールを位置付けるステップと、
前記第１のモジュールから少なくとも１５度ずれて、前記第１のモジュール上に第２のモジュールを位置付けるステップと、
前記第１のモジュールの少なくとも１つのフレーム部材を、前記第２のモジュールの前記少なくとも１つのフレーム部材に取り付けるステップと、
を順に備える方法。
【請求項２２】
前記ずれは、９０度である、請求項２１に記載の方法。
【請求項２３】
前記位置は、テーブルである、請求項２１に記載の方法。
【請求項２４】
前記取り付けのステップの前に、前記第１のモジュールと第２のモジュールとの間に物体を設置するステップをさらに含む、請求項２３に記載の方法。
【請求項２５】
前記物体は、有機的物体、芸術的物体、および電子的物体から成る群から選択される、請求項２４に記載の方法。
【請求項２６】
少なくとも１つの前記モジュールを筒から取り外すステップをさらに備える、請求項２４に記載の方法。
【発明の詳細な説明】
【技術分野】
【０００１】
（技術分野）
【０００２】
本発明は、フレームに関し、より具体的には、折り畳み可能なフレームに関する。
【背景技術】
【０００３】
（背景技術）
【０００４】
芸術品等のフレーミング用の可撓性シート材料は、長い間知られている。しかしながら、折り畳み可能であり、かつ容易な保管および輸送を可能にする可撓性シート材料フレームは、当技術分野においてそれほど一般的ではない。そのような装置は、典型的に、シートに対する保護が限られており、構築および分解する能力が限られているか、またはシート自体に損傷を与える。この損傷は、シートを異なるフレームで二度目に使用できないこと、および／またはシートが価値を失うことを意味する。
【０００５】
例えば、Ｆａｒｒｉｓの米国特許第４，３５６，６４７号およびＨａｈｎの米国特許第６，４７４，００９号は、ポスタ等のシート状物品を保持または表示するための機器を教示する。第１および第２の略同一の部材は、ポスタの反対側に長手方向に延在する。しかしながら、物品は、シート状物品の上部および底部側以外は保護されない。例えば、上部および底部部材に対して斜めまたは直角に延在する剪断力は、シートを破るであろう。例えば、装置が表示のために壁に掛かっている場合、シートに持続的に重量が加わるため、底部部材の重量が、シートを裂く可能性が高くなる。また、シートの前部および後部保護は開示されておらず、物品は、上部から下部または下部から上部の配向で掛ける以外は、実施形態に適合することができない。
【０００６】
当技術分野において既知の他の折り畳み可能な絵画フレームは、製造および入手するのに多額の費用がかかる場合があり、かつ容易に紛失し得る多くの部品を含む。例えば、両者ともＰｏｌｌａｃｋの米国特許第４，６６９，２０９号および第４，９８７，０１３号は、絵画等のシートの少なくとも４つの側面に対する保護を提供するが、４つの側面および４つの角を含むフレームを生成するためには、少なくとも８つの部品を必要とし、構成するのに過多のステップが必要である。さらに、そのようなフレームは、シート自体とともに包装または発送するのが困難であり、別々の包装で包装すること、またはフレームの部品によるシートの損傷を防ぐために、余分な材料を使用することを余儀なくさせる。
【０００７】
Ｐｏｕｎｄｓの米国特許第６，９６２，０１７号に開示されているもの等のさらに他のフレームは、過多の部品を必要とし、上述の参考文献の不利な点を有するだけでなく、全てが、物品に空孔を開けることが必要であることによって、シート状物品に損傷を与える。これは、高価な芸術作品等、または電子機器が含まれ、空孔がそれらの機能性を減少させる場合、容認できないことが多い。
【発明の開示】
【発明が解決しようとする課題】
【０００８】
したがって、製造しやすく、入手が容易であり、部品の数が少なく、芸術品等のシートとともに安全に発送することができ、少なくとも４つの側面上に、しかし好ましくは、前面および後面上にもシートに対する保護を提供するように適合可能なフレーミング装置を提供する、長期にわたる未解決の必要性が存在している。
（発明の概要）
【０００９】
したがって、本発明の目的は、シート等のシート状材料をフレーミングするための装置を提供することである。本発明のさらなる目的は、さらなる包装または保護材料を必要とすることなく、筒状で発送する等、シート状材料で事前に組み立てられ得るフレームを提供することである。
【００１０】
本発明のさらなる目的は、最低限の労力で、かつ保護された方法でシートを表示するように分解または構成され得るフレームを提供することである。
【００１１】
本発明のさらに別の目的は、折り畳み可能なフレームおよびシートを提供することであり、該シートは裏当ておよび／または前面パネルによって保護される。
【００１２】
本発明のさらに別の目的は、さまざまな構成で再配置され得る構成要素部材を有する、折り畳み可能なフレームを提供することである。
【課題を解決するための手段】
【００１３】
開示される本発明は、少なくとも２対の細長い部材を備えるフレームを備え、各細長い部材は、２つの端部を有し、各対の細長い部材は、該対の間に延在する少なくとも１つの事前に取り付けられたシートを有し、各該細長い部材の各端部は、別の細長い部材の少なくとも１つの端部に固定して取り付けられるように適合され、組み立てられた状態において、表示物は、少なくとも部分的に重複するシートで形成される。
【００１４】
少なくとも２対の細長い部材は、第２の対の細長い部材に直角に接続された第１の対の細長い部材であり得、各シートは、該第１および第２の対の細長い部材によって画定された領域を実質的に覆う。少なくとも１つのシートは、可撓性であり得、および／または少なくとも１つのシートは、剛性であり得る。
【００１５】
本発明の実施形態において、第１の対の細長い部材のシートは、第２の対および第３の対の細長い部材の両方のシートと実質的に重複する。
【００１６】
シート（または本開示で使用される「シート状材料」）は、裏当て、芸術作品、カバー、電子ディスプレイ、ソーラパネル、有機シート、またはそれらの組み合わせであり得る。各対の細長い部材は、事前に構成され得、対応するシートに事前に取り付けられ得、発送等のために筒内に設置され得る。少なくとも１対の細長い部材は、複数のシートを備え得る。
【００１７】
第１の対の細長い部材は、剛性裏当てシートおよび剛性カバーシートをそれらの間に位置させ、第２の対の細長い部材は、芸術作品等の上記に定義されるような可撓性シートをそれらの間に位置させる。
【００１８】
第１の細長い部材の端部と第２の細長い部材の端部との取り付け具は、磁石、ダボ穴およびダボ、ホゾ穴およびホゾ、磁気テープ、またはそれらの組み合わせを含み得る。
【００１９】
本発明の実施形態において、フレームは、少なくとも２つの重複するシートを備え、該シートは、（ａ）互いに少なくも９０度、または（ｂ）互いに少なくとも１５度ずれ、各シートは、第１の端部で第１の細長いフレーム部材に、第２の端部で第２の細長いフレーム部材に取り付けられる。各細長いフレーム部材は２つの端部を有し、各細長いフレーム部材の各端部は、別の細長いフレーム部材の端部に剛性的に取り付けられる。９０度ずれでは、２つ以上の対の細長いフレーム部材が使用され得る。３０度ずれでは、３つ以上の対の細長いフレーム部材が使用され得る。他のずれは、１５度（各細長い部材が、実質的に同様の長さである場合、１２シート）、４５度（各細長い部材が、実質的に同様の長さである場合、４シート）、および６０度（各細長い部材が、実質的に同様の長さである場合）であり得る。本発明の実施形態において、フレーム部材は真っ直ぐである。しかしながら、本発明の他の実施形態において、１つのモジュールの角度が別のもの対して９０度未満である時等は、個々のフレーム部材を湾曲させる、または角度を付けることができる。
【００２０】
シートは、第１および第２の細長いフレーム部材に事前に取り付けられ得、またはシートは、フレームが組み立てられた状態において、２つの該細長いフレーム部材間に摩擦でまたは接着して保持され得る。少なくとも１つの前記シートは、可撓性または剛性であり得る。少なくとも２つのシートは、３つのシートであり得る。
【００２１】
フレーム部材は、磁石、ダボ穴およびダボ、ホゾ穴およびホゾ、磁気テープ、接着剤、ジッパ、ベルクロ（Ｖｅｌｃｒｏ）、またはそれらの組み合わせによって取り付けられ得る。実質的に、当技術分野において既知のいかなる取り付け装置も使用することができる。シートは、有機または電子ディスプレイであり得、該ディスプレイは、可撓性であり得る。
【００２２】
本発明の表示物を構成する方法もまた教示される。各モジュールが２つのフレーム部材およびそれらの間に位置するシートを備える、表示物の少なくとも第１および第２のモジュールは、ある位置に第１のモジュールを位置付け、該第１のモジュールから少なくとも３０度ずらして、該第１のモジュール上（上に接して、上方、前、または上に重ねることを意味する）に第２のモジュールを位置付けることによって、表示物内に構成され得る。次いで、ディスプレイは、前記第１のモジュールの少なくとも１つのフレーム部材を、前記第２のモジュールの少なくとも１つのフレーム部材に取り付けることによって構成される。ずれは、９０度であり得る。位置は、テーブル、イーゼル、または壁であり得る。生物学的作品／有機的作品、電子的作品または芸術作品等の対象物は、２つのシートまたはモジュール間に設置され得る。
【図面の簡単な説明】
【００２３】
【図１】本発明の実施形態で使用されるような折り畳み可能な表示フレームおよび絵画の第１のモジュールを示す図である。
【図２】本発明の実施形態で使用されるような折り畳み可能な表示フレームおよび絵画の第２のモジュールを示す図である。
【図３】構成された状態における本発明の折り畳み可能な表示フレームの上面透視図を示す図である。
【図４】構成された状態における本発明の折り畳み可能な表示フレームの裏面平面図を示す図である。
【図５】半分解された状態における分割フレームを用いた本発明の実施形態の正面透視図を示す図である。
【図６】構成された状態における分割フレームを用いた本発明の実施形態の正面斜視図を示す図である。
【図７】構成された状態における分割フレームを用いた本発明の実施形態の背面平面図を示す図である。
【図８】巻回構成における本発明の実施形態の折り畳み可能な表示フレーム第１のモジュールを示す図である。
【図９】巻回構成における本発明の実施形態の折り畳み可能な表示フレーム第１および第２のモジュールを示す図である。
【図１０】巻回構成における本発明の実施形態の折り畳み可能な表示フレーム第１および第２のモジュールを保持する筒を示す図である。
【図１１】図１０のフレームの上面平面図である。
【図１２】図１０のフレームの上面斜視図である。
【図１３】図１０のフレームの側面斜視図である。
【図１４Ａ】本発明の実施形態における２つのフレーム部材を取り付けるために使用されるホゾ穴およびホゾの側面平面図を示す図である。
【図１４Ｂ】図１４Ａのホゾ穴およびホゾ接合の斜視図を示す図である。
【図１４Ｃ】図１４Ｂの詳細Ａを示す図である。
【図１５Ａ】本発明の実施形態における２つのフレーム部材を取り付けるために使用されるピンの側面平面図を示す図である。
【図１５Ｂ】図１５Ａの実施形態の斜視図を示す図である。
【図１５Ｃ】図１５Ｄの挿入図Ｆを示す図である。
【図１５Ｄ】図１５Ａの別の斜視図である。
【図１６Ａ】円形ソケット継ぎ手を備える本発明の実施形態の一部の分解図を示す図である。
【図１６Ｂ】本発明の実施形態の円形ソケット継ぎ手に使用されるようなフレーム部材の分解図を示す図である。
【図１７Ａ】四角形ソケット継ぎ手を備える本発明の実施形態の一部の分解図を示す図である。
【図１７Ｂ】本発明の実施形態の四角形ソケット継ぎ手に使用されるようなフレーム部材の分解図を示す図である。
【図１８Ａ】本発明の実施形態におけるフレーム部材にシートを取り付けるための取り付け機構の側面概略透視図である。
【図１８Ｂ】図１８Ｄの挿入図Ｂである。
【図１８Ｃ】図１８Ａの取り付け機構の第２の側面透視図である。
【図１８Ｄ】図１８Ａの機構の側面平面図である。
【図１９Ａ】本発明の実施形態におけるフレーム部材にシートを取り付けるためのテープ取り付け機構の解体図を示す図である。
【図１９Ｂ】本発明の実施形態におけるフレーム部材にシートを取り付けるためのテープ取り付け機構の第２の解体図を示す図である。
【図２０Ａ】本発明の実施形態におけるフレーム部材にシートを取り付けるためのステープル取り付け機構の側面平面図を示す図である。
【図２０Ｂ】図２０Ａの側面斜視図である。
【図２０Ｃ】別の取り付け機構の側面斜視図である。
【図２１Ａ】複数のシートと併せて使用される本発明の実施形態のフレーム部材の正面斜視図を示す図である。
【図２１Ｂ】図２１Ａの解体型を示す図である。
【図２１Ｃ】図２１Ｂのフレーム部材の平面図を示す。
【図２１Ｄ】切断線Ａ−Ａに沿って切り取った図２１Ｃのフレーム部材の断面図を示す図である。
【発明を実施するための最良の形態】
【００２４】
開示される本発明は、携帯可能かつ折り畳み可能なフレームおよびシートである。本発明の実施形態において、フレームおよびシートは、容易かつ安全な保管、輸送または郵送のために、筒状に巻くことができる。本発明の実施形態において、フレームは、少なくとも２対の細長い部材を備え、各細長い部材は、２つの端部を有し、各対の細長い部材は、該対の部材間に延在する少なくとも１つの事前に取り付けられたシートを有し、各細長い部材の各端部は、別の細長い部材の少なくとも１つの端部に固定して取り付けられるように適合され、組み立てられた状態において、表示物は、少なくとも部分的に重複するシートで形成される。
【００２５】
本発明の実施形態は、以下の図を参照してより明らかになるであろう。
【００２６】
図１は、本発明の実施形態において使用される折り畳み可能な表示フレームおよび絵画の第１のモジュールを示す。モジュール１１０は、２つの細長いフレーム部材を含む。左側の部材１１２および右側の部材１１４は、シート１１６と接続される、または摩擦で係合される。右側および左側の部材１１４および１１２は、一体構造を形成して、シート１１６に固定して取り付けられてもよく、または事前に取り付けられてもよい。シート１１６は、モジュールの第１の実施形態において剛性であり、モジュールの第２の実施形態において可撓性である。
【００２７】
図２は、本発明の実施形態において使用される折り畳み可能な表示フレームおよび絵画の第２のモジュールを示す。モジュール１２０は、シート１２６と接続される、または摩擦で係合される上部部材１２４および底部部材１２２を含む。上部および底部部材１２４および１２２は、一体構造を形成して、シート１２６に固定して取り付けられてもよく、または事前に取り付けられてもよい。シート１２６は、モジュールの第１の実施形態において剛性であり、モジュールの第２の実施形態において可撓性である。
【００２８】
上記のようなシート１１６、シート１２６およびさらなるシートは、剛性または可撓性であり得る。本発明の実施形態において、第３の、またはそれ以上のシートが使用され得る。各シートは、本発明の実施形態に応じて剛性または可撓性であり得る。例えば、絵画を表示する場合、シート１１６は、剛性かつ不透明な裏当てであり得、シート１２６は、シート１１６と１２６との間に設置された絵画の剛性ルーサイト（Ｌｕｃｉｔｅ）保護カバーであり得る。別の実施例において、裏当てシート１１６およびカバーシート１２６の両方が可撓性であり得る。さらに別の実施例において、シート１１６は、裏当てであり、シート１２６は、絵画または芸術品である。可撓性シートが使用される本発明の実施形態において、それらの各上部および下部（または左および右側）部材を有するそのようなシートは巻くことができる。
【００２９】
本発明で使用されるシートは、剛性または可撓性で、細長くかつ概して平坦な物品であり得る。本発明のシートは、一般的に、機能的、芸術的、保護的もしくは構造的特性、またはこれらの特徴の組み合わせを有する。芸術的シートは、芸術品、写真、液晶ディスプレイ、有機発光ダイオードディスプレイ、別の形態の電子ディスプレイ等を含み得る。芸術的シートは、可撓性および／または巻くことが可能あるいは剛性であり得る。保護的シートは、ルーサイト（Ｌｕｃｉｔｅ）保護カバー、プラスチックカバー、ガラスカバー、ボール紙裏当て、木製裏当て等であり得る。保護シートは、可撓性および／または巻くことが可能あるいは剛性であり得る。構造的シートは、概して剛性であり、フレーム自体の構造に加えて、構造的な完全性ならびにフレームおよび他のシートの保護を確実とする。シートは、上部および底部部材１２４および１２２または左および右側部材１１２および１１４との一体構造として形成され得る。また、シートは、鏡であってもよく、または反射特性を有し得る。本発明の実施形態において、上述のシートのいずれかの使用法を組み合わせることが、本発明の範囲の一部として意図される。そのような組み合わせの実施例は、１つの透明なシートおよび１つの芸術品、１つの透明なシート、１つの芸術品および１つの裏当て、２つの透明なシートおよび１つの芸術品、２つの裏当てシートおよび１つの芸術品、またはそれらのいかなる組み合わせをも含む。
【００３０】
本発明の実施形態において、さらなるシートまたは物体は、２つのシート間でフレーム内に挿入される。物体は、例えば、生物学的物体（増殖する細菌等）、表示のための家庭の物体（野球ボール等）、または別のシート（２つのシート間に摩擦で保持されるポスタまたは紙等）であり得る。本発明の実施形態において、２つの芸術作品（ポスタを含む）または両面の芸術作品は、フレーム部材に取り付けられた２つのシート等の２つのシート間に挿入され得、すなわち、１つのまたは２つの芸術作品は、２つのモジュール間に設置される。そのような実施形態において、構成された状態におけるフレームは、可逆的であり得、それによって、片側に第１の芸術作品が表示され、反対側に第２の芸術作品が表示される。また、本発明のこの実施形態における１つまたは複数の芸術作品は、１つまたは複数の物体であり得る。
【００３１】
図３は、構成された状態における本発明の折り畳み可能な表示フレームの上面斜視図を示す。図４は、構成された状態における本発明の折り畳み可能な表示フレームの裏面平面図を示す。細長い上部、下部、右側、および左側部材の角は、当技術分野において既知の取り付け手段によって、または摩擦手段によって結合され、次の段落で説明される。図４の点線は、本発明のこの実施形態におけるシート１２６の位置を表す。シート１１６は、装置の前面に表示され、半透明または透明な場合に、シート１２６の概して大きい長方形の遮断されていない部分（すなわち、細長い上部、下部、右側、および左側部材によって覆われていない）を、ユーザが見ることを可能にする。
【００３２】
図５は、半分解状態における分割フレームを用いた本発明の実施形態の正面透視図を示す。本図面の実施形態は、本発明の多くの可能な構成のうちの１つの例証である。本実施形態において、第１のユニット２１０は、図１〜図４の実施形態と同様に左側部材２１２および右側部材２１４に接続されたシート２１６を備える。第２のユニット２２０は、上部部材２２２および底部部材２２４に取り付けられたシート２２６を備える。第３のユニット２３０は、シート２３６に取り付けられた上部部材２３２および底部部材２３４を備える。ユニット２２０および２３０の細長いフレーム部材２２２、２２４、２３２、および２３４の隣接角は、互いに取り付けられる、または互いに摩擦で係合される。つまり、上部部材２２２および上部部材２３２の隣接角は、底部部材２２４および２３４と同様に、取り付けられる。同様に、ユニット２１０の隣接角は、ユニット２２０および２３０と取り付けられる、または摩擦で係合する。つまり、部材２２２および２２４の隣接角は、部材２１２のそれぞれの角に取り付けられ、部材２３２および２３４は、部材２１４のそれぞれの角に取り付けられる。
【００３３】
図６は、構成された状態における分割フレームを用いた本発明の実施形態の正面斜視図を示す。図７は、構成された状態における分割フレームを用いた本発明の実施形態の背面平面図を示す。本発明の本実施形態の構成された状態において、フレームの上部は、上部部材２２２および２３２を含み、フレームの下部は、底部部材２２４および２３４を含み、フレームの左側部分は、部材２１２を含み、フレームの右側部材は、部材２１４を含む。シート２１６は、構成されたフレームの前側に呈示され、シート２３６および／または２２６が目に見えるように半透明または透明であり得る。本実施形態は、本発明の範囲内である本発明の多くの実施形態のうちの１つの例証である。取り付けられたシートを有する部材のいかなる組み合わせも、装置の分解または構成された両方の状態の間に、シートのエッジ上および任意で表面および／または裏面上のシートに対する保護を提供しながら、モジュールフレームを早急に構築および分解できるように使用され得るか、または事前に構成され得る。
【００３４】
図８〜１０は、本発明の実施形態における折り畳み可能な表示フレームの巻回構成を示す。そのような実施形態で使用されるシート１１６、１２６および他のシートは、巻くことも、巻かないことも可能な、典型的に可撓性のシートである。
【００３５】
図８は、巻回構成における本発明の実施形態の折り畳み可能な表示フレームの第１のモジュールを示す。巻回構成は、モジュール１１０が、別のフレームモジュールに接続されず、シートが呈示されないので、モジュールの完全に分解された状態である。モジュール１１０は、いかなる方法でも実質的に巻くことができるが、図示した実施形態において、第１の部材１１２および第２の部材１１４は、それらにシート１１６を巻くローラの機能を果たす。
【００３６】
図９は、巻回構成における本発明の実施形態の折り畳み可能な表示フレームの第１および第２のモジュールを示す。本発明のこの実施形態では、第２のモジュール１２０を第１のモジュール１１０の周りに巻く。典型的に、最小限の体積量の使用を確実にするために、より大きなモジュールをより小さなモジュールの周りに巻く。したがって、例えば、図８のモジュール１１０は、図９のモジュール１２０で巻かれる。
【００３７】
図１０は、巻回構成における本発明の実施形態の折り畳み可能な表示フレームの第１および第２のモジュールを保持する筒を示す。そのような筒１５０は、郵便配達員または配送サービスを介して小包を受取人に送る時に、一般的に使用されるような郵便用筒であり得る。このようにして、例えば、モジュール１１０および１２０は、郵送のために、またはその保護された輸送のために、筒状に巻くおよび筒内に設置することができる。したがって、巻くことが可能なシートを使用する時に、本発明の装置は、容易かつ経済的に保護することができ、場所から場所に輸送し、必要に応じて組み立てることができる。本発明の実施形態において、シートは、例えば、タッチスクリーンもしくはパーソナルデジタルアシスタントの一部などの機能を含み得る、液晶ディスプレイ、または他の形態の電子もしくは有機シートであり得る。有機シートは、例えば、増大する生物学的または実験用材料との使用のために構成され得る。ユーザが所望する場合、筒１５０内で保護されるモジュールは、取り出すことができ、本発明の完全に構成された状態に容易に組み立てることができ、電子ディスプレイ（または他のシート）は、本発明の実施形態において、フレーム部材、ならびに裏当ておよび／または前面シートによって保護される。
【００３８】
図１１〜図１３は、本発明の巻回構成におけるモジュールの種々の図を示す。図１１は、図１０のフレームの平面図である。図１２は、図１０のフレームの上面斜視図である。図１３は、図１０のフレームの側面斜視図である。
【００３９】
図１４Ａは、本発明の実施形態において２つのフレーム部材を取り付けるために使用されるホゾ穴およびホゾの側面平面図を示す。図１４Ｂは、図１４Ａのホゾ穴およびホゾ接合の斜視図を示す。図は一例としてのみ示す。典型的に、各フレーム部材は、取り付け可能に、またはシートおよび第２のフレーム部材に事前に取り付けられる。楔形、スタブ、ハンチスタブ、フォックステイル、ピン止め、またはフェザー接合等の、当技術分野において既知のいかなるホゾ穴およびホゾシステムも使用され得る。当業者が理解するように、これらの接合の一部は、実質的に恒久的である（つまり、一旦形成されると、接合を取り外すためには、それを取り付けるよりも著しく大きな力を必要とし、および／またはフレームまたはホゾ穴およびホゾシステムを崩壊させるであろう）。他の接合は、実質的に可逆的である（つまり、取り外しは、取り付けとほぼ同じ量の力を必要とし、および／または接合は、フレームまたは接合に目に見える損傷を与えることなく、複数回分解することも、再組み立てすることもできる）。図１４Ａの実施形態において、単一ホゾ穴およびホゾを図示するが、そのような接合が使用される場合、典型的にフレーム部材の全ての接合上で使用される。そのような接合は、典型的に、全てのフレーム部材の角（各フレーム部材をなす長手方向部品の端部）に配置される。
【００４０】
ここで図１４〜図１６を一般的に、図１４Ｃを特に参照すると、図１４Ｃは、図１４Ｂの詳細Ａを示す。上部フレーム部材１２４および側面フレーム部材１１４は、一例として、ホゾ穴１２９およびホゾ１１８をそれぞれ備える。ホゾ穴およびホゾのいかなる組み合わせも、本発明の実施形態において使用され得る。例えば、ホゾ穴が第１の部材上に、およびホゾが第２の部材上にあってもよく、その逆でもよい。同様に、複数のホゾ穴およびホゾは、接合において使用され得る。ホゾ１１８は、本発明の装置の構成された状態において、上部部材１２４および側面部材１１４が、摩擦で適所に保持されるように、または取り付けられるように、ホゾ穴１２９内にぴったりと適合するように構成される。また、図１４Ｃに図示したスロットは、それら内に摺動的に入れられるシートを保持するために、本発明の実施形態において使用されることも理解すべきである。しかしながら、本発明の他の実施形態は、１つ以上のシートを取り付ける、または摩擦で係合するために、種々の機構を使用し得る。
【００４１】
図１５Ａは、本発明の実施形態において２つのフレーム部材を取り付けるために使用されるピンの側面平面図を示す。本発明のこの実施形態は、側面部材１１４等の部材のピン１３８が、上部部材１２４等の第２の部材の空洞１３９に進入、および取り付けまたは摩擦で係合する点において、ホゾ穴およびホゾ実施形態と同様である。接着剤は、係合を不可逆的にさせるために使用されてもよい。
【００４２】
図１５Ｂは、図１５Ａの実施形態の斜視図を示す。図１５Ｃは、図１５Ｄの挿入図Ｆを示す。図１５Ｄは、図１５Ａの別の斜視図を示す。ここで図１５Ｃを特に参照して、ピン１３８は、側面部材１１４の角から延在する。少なくともこの実施形態において、角は、図１５Ｃに示すような先細のまたは角度付けられた領域として定義される。角は、隣接する第２の部材の対応する角、この場合は上部部材１２４の角（図１５Ａに図示するような）、に適合される。ピン１３８は、それぞれの部材１２４および１１４を取り付けるために、空洞１３９（図１５Ａに図示）内に延在する。このようにして、各部材は、隣接部材に取り付けられてもよい。ピン１３８および空洞１３９（先の実施形態におけるホゾ穴およびホゾと同様）は、互いに併用して、すなわち、１つの接続方法でともに、または別個の角の組み合わせを取り付けるために使用されてもよい。さらに、ピン、空洞、ホゾ穴、またはホゾは、１５から１６５度の間等の９０度以外の度合いで角度を付けられてもよい。そのような角度を付けられた実施形態における各角は、適宜にテーパー状であり、種々の角度の取り付けを可能にする。
【００４３】
図１６Ａは、円形ソケット継ぎ手を備える本発明の実施形態の一部の分解図を示す。図１６Ｂは、本発明の円形ソケット継ぎ手の実施形態において使用されるようなフレーム部材の分解図を示す。上部部材３２４は、角３２８および長手方向部材３２７を備える。本発明の一実施形態において、各角は、少なくとも２つの長手方向部材（すなわち、長手方向部材３２７および３１７）のそれぞれから取り外し可能である。本発明の別の実施形態において、角３２８等の各角は、長手方向部材３２７等の長手方向部材に固定して取り付けられる、またはそれと一体構造を形成する。このようにして、本発明のこの実施形態におけるフレームを構成する方法は、図１〜図１５に図示した実施形態のものと同様または同じであり、すなわち、２つのフレーム部材とそれらの間に位置するシートとを備える全てのモジュールは、互いに対して９０度で配置され、それらの角で取り付けられる。シート３１６および３２６は、それぞれのフレーム部材に事前に取り付けられ得（それらと一体構造を形成する）、またはユーザによって取り付け可能であり得る。
【００４４】
図１６Ａおよび１６Ｂを再び参照して、スロット３６２および３６４等のスロットは、各角が少なくとも２つの長手方向部材に接続できるようにし、少なくとも１つのシート部材が、各スロットを通じて延在できるような方法で、角部材３２８等の概して中空の角部材の側面に切り込まれ、その側面を通じて延在する。複数のスロットは、本発明の折り畳み可能なフレームとともに使用されるために、複数のシートが計画される場合、必要に応じて使用されてもよい。
【００４５】
図１７Ａは、四角形ソケット継ぎ手を備える本発明の実施形態の一部の分解図を示す。図１７Ｂは、本発明の四角形ソケット継ぎ手の実施形態において使用されるようなフレーム部材の分解図を示す。図１７Ａおよび図１７Ｂの実施形態は、図１６Ａおよび図１６Ｂの実施形態と類似しており、要素の番号付けは、１００ずつ増やした。角部材４２８は、上部、下部、右側、または左側フレーム部材のいずれかに固定して取り付けられてもよく、またはそれらと一体構造を形成し得ることに留意すべきである。
【００４６】
図１８Ａは、本発明の実施形態においてフレーム部材にシートを取り付けるための機構の側面透視図である。図１８Ｄは、図１８Ａの機構の側面平面図である。図１８Ｂは、図１８Ｄの挿入図Ｂである。図１８Ｃは、図１８Ａの取り付け機構の第２の側面透視図である。取り付け機構は、本発明の実施形態において使用される任意のフレーム部材であり得るフレーム部材５１２の全長にわたって少なくとも部分的にまたは完全に延在する、楔形のまたは他の開口５５０を備える。開口５５０は、実質的に、開口５５０の全長にわたって少なくとも部分的に延在する楔５５２または任意の他の物品を、開口内に保持することができるように、開口の最大幅部分よりも狭いシート５１６への開口部を有するいかなる形状であってもよい。そのような楔５５２は、１つ以上のフレーム部材５１２に固定して取り付けられてもよく、もしくは事前に取り付けられてもよく、またはアパーチャ５５０を介した横方向の動きによって、そのようなフレーム部材への早急な取り外しおよび再取り付けを可能にしてもよい。
【００４７】
本発明の実施形態において、フレーム部材５１２が、第２のフレーム部材（例えば、図１４Ａ〜図１７Ｂに図示される場合等）に取り付けられる場合、楔５５２の横方向の動きは、少なくとも、楔５６２［５５２（訳注）] がフレーム部材５１２の開口５５０内にとどまる範囲に抑制される。楔５５２は、シート５１６と固定されたまたは着脱可能な関係で取り付けられるか、または事前に取り付けられる。楔５５２とのシート５１６の組み合わせは、シートが、開口を出ることができるように、開口５５０内に適合するように構成される。シート５１６は、剛性または可撓性シートであり得、理解すべきであるように、複数のシートは、１つ以上の開口内および１つ以上のフレーム部材内で使用され得る。スロットおよび摩擦の取り付けを使用する本発明の実施形態と同様に、シート５１６は、穿刺される、またはそうでなければ破損される必要はない。
【００４８】
図１９Ａおよび図１９Ｂは、本発明の実施形態においてフレーム部材にシートを取り付けるためのテープ取り付け機構の解体図を示す。本発明の実施形態において、テープ５６０は、第１の側面上でフレーム部材５１２に、および第２の側面上でシート５１６に取り付けられる両面テープであってもよい。フレーム部材５１２は、複数の取り付け機構を備え得る。さらに、本発明の実施形態において、テープ５６０は、磁気テープであってもよい。磁気テープは、シートまたはフレーム部材の物理的特性に対して変化を生じさせることなく、フレーム部材５１２へのシート５１６の取り付けおよび取り外しを可能にする。また、両面または磁気テープを、フレーム部材の角をお互いに対して取り付けるために使用することができる。
【００４９】
図２０Ａは、本発明の実施形態においてフレーム部材にシートを取り付けるためのステープル取り付け機構の側面平面図を示す。図２０Ｂは、図２０Ａの側面斜視図である。図２０Ｃは、別の取り付け機構の側面透視図である。本実施形態において、ステープル５７０は、フレーム部材５１２およびシート５１６に空孔を貫通させて、それぞれの部品を互いに対して取り付けるために使用される。そのような取り付けは、取り外しがフレーム部材５１２またはシート５１６のいずれかに損傷を与えるという点で実質的に不可逆的である。図２０Ｃの取り付け装置は、実質的に着脱可能（取り外し時に損傷を与えない）または着脱可能である、事前に穴を開けられた開口５８２を有するダボ５８０であってもよい。本発明の実施形態において、ダボ５８０は、ネジまたはクギである。また、そのような装置および取り付け機構は、恒久的または可逆的方法で、フレーム部材を互いに対して取り付けるために使用されてもよい。
【００５０】
図２１Ａは、複数のシートと併せて使用される本発明の実施形態のフレーム部材の正面斜視図を示す。図２１Ｂは、図２１Ａの解体型を示す。図２１Ｃは、図２１Ｂのフレーム部材の平面図を示す。図２１Ｄは、切断線Ａ−Ａに沿って切り取った図２１Ｃのフレーム部材の断面図を示す。そのような実施形態において、２４のシート等の多くのシートが使用されてもよい。シートは、透明、半透明または不透明であってもよく、かつ構造安定性（剛性シート）を提供してもよく、または芸術作品の一部を表示してもよい。シートは、本明細書に記述した上記の機構のいずれかによって、もしくは当技術分野において既知の他の方法によって事前に取り付けられてもよく、または１つ以上のシートは、提供された溝に挿入され、かつ取り付けられた２つのフレーム部材間に保持されてもよい。シートは、フレーム部材の全長にわたって部分的にまたは完全に延在してもよく、シートの構成は、例えば、特定の構成において、芸術作品の表示のために事前に選択されてもよい。
【００５１】
本発明の方法において、フレーム部材は、筒内におよび／または巻回構成で設置されてもよい（図８〜図１３参照）。本発明の方法の実施形態の目的で、本発明の装置の実施形態を参照して説明したような、フレーム部材および取り付けられたまたは対応するシートの各セットは、モジュールとして定義される。１つ以上のモジュールを広げた後および／またはそれぞれのフレーム部材とシートを結合する、取り付ける、位置付けることを含む構成を行った後、本発明の実施形態において、位置を選択することができる。例えば、位置は、実験室または他のテーブルもしくは表面、イーゼルもしくはスタンド、あるいは壁であってもよい。第１のモジュールは、当技術分野において既知の方法によって位置に取り付けられるか、または設置される。
【００５２】
１つの位置に第１のモジュールを位置付けした後、第２のモジュールが、第１のモジュール上に位置付けられる。つまり、第２のモジュールは、第１のモジュールから角度ずらして、ユーザまたは表示物の製造業者によって所望される通りに配列される。ずれの角度は、２つのモジュールが使用される場合、９０度である。例えば、絵画または情報表示物を掛ける、または生物学的もしくは有機材料の検査のための箱を組み立てる場合、第１のモジュールが設置され、次いで、第２のモジュールは、反対方向に第１のモジュールの上に設置される。第１のモジュールが、上部から底部に延在する場合、第２のモジュールは、左側から右側（または右側から左側）に延在する。ずれが、１５から９０度の間を含むことが本発明の範囲内で考えられる。角度が９０度未満である場合、２つより多いモジュールが典型的に使用される。
【００５３】
次いで、少なくとも１つのモジュールが、少なくとも１つの他のモジュールに、すなわち、第１のモジュールが第２のモジュールに取り付けられ、該取り付けは、第２のモジュールのフレーム部材への第１のモジュールのフレーム部材の取り付けである。典型的に、フレーム部材は、長手方向部材の端部である、その角で取り付けられる。それらは、当技術分野において既知の、または本発明の装置を参照して説明されたいかなる手段によっても取り付けられ得る。
【００５４】
その上さらに、物体は、第１および第２のシートまたは第１および第２のモジュールの間に設置され得る。物体は、増殖用の培養物等の生物学的／有機的物体であり得る。本発明は、増殖培養、ゲル電気泳動等の妨害を最小化するために、事前に構成された方法でモジュールのフレーム部材を設置する方法を提供する。その上さらに、フレーム部材は、ゲル電気泳動のための電流もしくは電源または電子ディスプレイへのデータ入力／出力ポータルを提供するため等に電気的構成要素を備え得、該電子ディスプレイは、モジュールのシートまたは２つのシート間に位置する物体である。有機的物体、芸術的物体、有機的物体、または他の物体の組み合わせを、いかなる組み合わせのシートとともに使用することもできる。
【００５５】
本発明は、上記の実施形態を具体的に参照して教示したが、当業者は、本発明の精神および範囲から逸脱することなく、形態および詳細に変更を行えることを理解されよう。記述した実施形態は、全ての観点において例証としてのみ見なされ、限定するものではない。特許請求の範囲の均等物の意味および範囲に入る全ての変更は、それらの範囲内に包含される。
【図１】
2009273887.tif 000003
【図２】
2009273887.tif 000004
【図３】
2009273887.tif 000005
【図４】
2009273887.tif 000006
【図５】
2009273887.tif 000007
【図６】
2009273887.tif 000008
【図７】
2009273887.tif 000009
【図８】
2009273887.tif 000010
【図９】
2009273887.tif 000011
【図１０】
2009273887.tif 000012
【図１１】
2009273887.tif 000013
【図１２】
2009273887.tif 000014
【図１３】
2009273887.tif 000015
【図１４Ａ】
2009273887.tif 000016
【図１４Ｂ】
2009273887.tif 000017
【図１４Ｃ】
2009273887.tif 000018
【図１５Ａ】
2009273887.tif 000019
【図１５Ｂ】
2009273887.tif 000020
【図１５Ｃ】
2009273887.tif 000021
【図１５Ｄ】
2009273887.tif 000022
【図１６Ａ】
2009273887.tif 000023
【図１６Ｂ】
2009273887.tif 000024
【図１７Ａ】
2009273887.tif 000025
【図１７Ｂ】
2009273887.tif 000026
【図１８Ａ】
2009273887.tif 000027
【図１８Ｂ】
2009273887.tif 000028
【図１８Ｃ】
2009273887.tif 000029
【図１８Ｄ】
2009273887.tif 000030
【図１９Ａ】
2009273887.tif 000031
【図１９Ｂ】
2009273887.tif 000032
【図２０Ａ】
2009273887.tif 000033
【図２０Ｂ】
2009273887.tif 000034
【図２０Ｃ】
2009273887.tif 000035
【図２１Ａ】
2009273887.tif 000036
【図２１Ｂ】
2009273887.tif 000037
【図２１Ｃ】
2009273887.tif 000038
【図２１Ｄ】
2009273887.tif 000039